(57)【要約】  本発明は、プレーナ型電気光学デバイス及びその作製方法に関する。プレーナ型電気光学デバイスは、基板（７）の頂面のところどころに隣接して位置する導電性ワイヤ（３）から成る埋め込み織物構造体を有する。この位置で種々の電極層をワイヤに接続するのが良い。この場合、ワイヤを用いると、電極それ自体が非常に薄い場合であっても、例えば電極表面全体にわたって一様な電位を生じさせることができる。この種の基板は、アドレス指定目的にも利用できる。
2009534705.tif 000002
【特許請求の範囲】
【請求項１】
プレーナ型基板（７）と、前記基板の第１の表面上に設けられた少なくとも１つの電極層（１９，２５；２９）及び活性層（２３）とを有する電気光学デバイスであって、
前記基板は、前記基板（７）中に埋め込まれていて、構造体をなすよう配置された複数本の導電性ワイヤ（３，３′，３″）を有し、前記ワイヤは、曲がりくねった状態で前記基板の前記第１の表面に近づいたりこれから遠ざかったりすると共に前記第１の表面の多くの場所で前記第１の表面に隣接して位置するようになっており、
前記少なくとも１つの電極層は、複数の前記場所で複数本の前記ワイヤに接続されている、電気光学デバイス。
【請求項２】
前記ワイヤは、織物構造体の状態に配列されている、請求項１記載の電気光学デバイス。
【請求項３】
前記ワイヤは、前記織物構造体中で互いに交差した状態で、互いに電気的に絶縁されている、請求項２記載の電気光学デバイス。
【請求項４】
第１のセットをなすワイヤが、前記織物構造体中で第１の方向に延びた状態で第１の電極層に接続され、第２のセットをなすワイヤが、前記織物構造体中で第２の方向に延びた状態で、前記第１の電極層に設けられた孔を通って第２の電極層に接続されている、請求項３記載の電気光学デバイス。
【請求項５】
前記第１の電極セット又は前記第２の電極セットのうち少なくとも一方の前記ワイヤは、同一の電位の状態のままであるよう互いに接続されている、請求項４記載の電気光学デバイス。
【請求項６】
前記第１のワイヤセット又は前記第２のワイヤセットのうちの少なくとも一方のワイヤのサブセットが、別々に制御されるよう配置されている、請求項３記載の電気光学デバイス。
【請求項７】
前記第１の電極層又は前記第２の電極層のうちの少なくとも一方は、相互に絶縁された小部分の状態に分割され、互いに異なる前記小部分は、前記織物構造体中の互いに異なるワイヤに接続されている、請求項１〜６のうちいずれか一に記載の電気光学デバイス。
【請求項８】
前記基板は、フレキシブルである、請求項１〜７のうちいずれか一に記載の電気光学デバイス。
【請求項９】
前記電気光学デバイスは、照明デバイスである、請求項１〜８のうちいずれか一に記載の電気光学デバイス。
【請求項１０】
前記電気光学デバイスは、太陽電池である、請求項１〜８のうちいずれか一に記載の電気光学デバイス。
【請求項１１】
前記電気光学デバイスは、ＯＬＥＤディスプレイである、請求項１〜８のうちいずれか一に記載の電気光学デバイス。
【請求項１２】
前記電気光学デバイスは、ＴＦＴディスプレイである、請求項１〜８のうちいずれか一に記載の電気光学デバイス。
【請求項１３】
前記電気光学デバイスは、イメージセンサである、請求項１〜８のうちいずれか一に記載の電気光学デバイス。
【請求項１４】
電気光学デバイスを作製する方法であって、
複数本の導電性ワイヤ（３）を平板状ベース基板パート（１）上に構造体をなして配置するステップと、
前記ベース基板パートの頂部上にトップ基板層（５）を形成して前記構造体が前記ベース基板パート及び前記トップ基板パートによって形成された基板（７）内に埋め込まれるようにするステップと、
前記トップ基板層の上方部分を除去して前記構造体中の前記導電性ワイヤの部分が、前記基板表面においてところどころの場所で露出されるようにするステップと、
少なくとも１つの電極層（１９，２５；２９）及び活性層（２３）を前記基板上に被着させて、前記少なくとも１つの電極層が複数の前記場所で複数本の前記ワイヤに接続されるようにするステップとを有する、方法。
【請求項１５】
前記ワイヤは、織物構造体の状態に配列されている、請求項１４記載の方法。
【請求項１６】
電気光学デバイス用のプレーナ型基板であって、前記基板（７）中に埋め込まれていて、構造体をなすよう配置された複数本の導電性ワイヤ（３）を有し、前記ワイヤは、曲がりくねった状態で前記基板の前記第１の表面に近づいたりこれから遠ざかったりすると共に前記第１の表面の多くの場所で前記第１の表面に隣接して位置するようになっている、平板状基板。
【請求項１７】
前記ワイヤは、織物構造体の状態に配列されている、請求項１６記載のプレーナ型基
【発明の詳細な説明】
【技術分野】
【０００１】
本発明は、プレーナ型基板と、基板の第１の表面上に設けられた少なくとも１つの電極層及び活性層とを有する電気光学デバイスに関する。本発明は、更に、このようなデバイスの製造方法及び基板に関する。
【背景技術】
【０００２】
上述した種類のデバイスは、例えば、「アプライド・フィジィックス・レット（Appl.
Phys. Lett.）」，第５１巻，１９８７年，ｐ．９１３−９１５にシー・ダブリュ・タン（C. W. Tang）及びエス・エー・ヴァン・スライク（S. A. Van. Slyke）によって開示されている。このようなデバイスは、照明目的用のＯＬＥＤ（有機発光ダイオード）デバイスであり、透明な基板上に配置された透明なアノードとカソードとの間でサンドイッチされた活性有機発光層を有している。電圧がアノードとカソードとの間に印加されると、有機層は、アノード及び基板を介して光を放出する。
【０００３】
このようなデバイスに関する１つの問題は、活性表面が広くなると、電極表面全体にわたり電圧降下が生じることである。これは、電極層が非常に薄いことに起因している。このことは、ＯＬＥＤデバイスに関する上述の場合、電流密度及びその結果としての光放出が、デバイス表面全体にわたり一様ではないようになることを意味している。
【発明の開示】
【発明が解決しようとする課題】
【０００４】
この問題を解決する明らかな手法は、厚い電極層を設けることである。しかしながら、これは、いつでも有用な解決策ではない。第１に、電極層が厚くなると、光の透過度が減少する。これは、特に、光が極めて薄い金属カソード層を通って伝搬されるいわゆる頂面発光ＯＬＥＤについては特に適しているが、例えば透明なＩＴＯ（インジウム錫酸化物）アノード層についても同様である。
【０００５】
第２に、蒸着法により厚い層を被着させることは、高価な基材を用いてサイクル時間が長くなることを意味し、それ故に、製品が高価になることを意味している。
【０００６】
したがって、本発明の目的は、電極層が薄く、しかもその表面全体にわたり一様な電圧をもたらす冒頭に述べた種類の有機ダイオードデバイスを提供することにある。
【課題を解決するための手段】
【０００７】
この目的は、請求項１４に記載された方法により作製できる請求項１記載のデバイスによって達成される。この目的は、更に、請求項１６に記載された基板を用いて達成できる。
【０００８】
具体的に説明すると、この場合、本発明は、プレーナ型基板と、基板の第１の表面上に設けられた少なくとも１つの電極層及び活性層とを有する電気光学デバイスに関する。基板は、基板中に埋め込まれていて、構造体をなすよう配置された複数本の導電性ワイヤを有し、ワイヤは、曲がりくねった状態で基板の第１の表面に近づいたりこれから遠ざかったりすると共に第１の表面の多くの場所で第１の表面に隣接して位置するようになっており、少なくとも１つの電極層は、複数の場所で複数本のワイヤに接続されている。
【０００９】
このような電気光学デバイスでは、織物構造体をなすワイヤは、分巻接続部を提供することにより非常に薄い電極層の表面全体にわたり電位を一様にするよう使用できる。
【００１０】
さらに又、互いに異なる電圧を互いに異なるワイヤにもたらすことにより、互いに異なる電極を電極層の互いに異なる部分又は互いに異なる電極層にもたらすことが可能である。
【００１１】
ワイヤは、織物構造体をなして配置されるのが良く、このような織物構造体により、本来的にワイヤは、適当な仕方で曲がりくねった状態になり、ワイヤは、織物構造体中で互いに交差した状態で、互いに電気的に絶縁できる。
【００１２】
第１のセットをなすワイヤが、織物構造体中で第１の方向に延びた状態で第１の電極層に接続されるのが良く、第２のセットをなすワイヤが、織物構造体中で第２の方向に延びた状態で、第１の電極層に設けられた孔を通って第２の電極層に接続されるのが良い。この場合、第１の電極セット又は第２の電極セットのうち少なくとも一方のワイヤは、同一の電位の状態のままであるよう互いに接続されるのが良い。
【００１３】
第１のワイヤセット又は第２のワイヤセットのうちの少なくとも一方のワイヤのサブセットが、別々に制御されるよう配置されるのが良い。
【００１４】
これにより、例えばＯＬＥＤデバイスにおいて、電極層の互いに異なる部分への互いに異なる電圧の印加が可能である。
【００１５】
第１の電極層又は第２の電極層のうちの少なくとも一方は、相互に絶縁された小部分の状態に分割されるのが良く、互いに異なる小部分は、織物構造体中の互いに異なるワイヤに接続されるのが良い。これにより、個々にアドレス指定可能な画素をデバイス中に提供することが可能になり、これは、デバイスがディスプレイ又はイメージセンサである場合に有用である。
【００１６】
さらに、基板は、フレキシブルであるのが良い。
【００１７】
デバイスは、照明デバイス、例えばＯＬＥＤデバイス、太陽電池、ＯＬＥＤディスプレイ、ＴＦＴディスプレイ又はイメージセンサとして実現できる。
【００１８】
本発明は又、電気光学デバイスを作製する方法であって、
複数本の導電性ワイヤを平板状ベース基板パート上に構造体をなして配置するステップと、
ベース基板パートの頂部上にトップ基板層を形成して構造体がベース基板パート及びトップ基板パートによって形成された基板内に埋め込まれるようにするステップと、
トップ基板層の上方部分を除去して構造体中の導電性ワイヤの部分が、基板表面においてところどころの場所で露出されるようにするステップと、
少なくとも１つの電極層及び活性層を基板上に被着させて、少なくとも１つの電極層が複数の場所で複数本のワイヤに接続されるようにするステップとを有することを特徴とする方法に関する。
【００１９】
さらに、構造体をなすよう配置された複数本の導電性ワイヤが埋め込まれた電気光学デバイス用のプレーナ型基板の実現を達成できる。ワイヤは、曲がりくねった状態で基板の第１の表面に近づいたりこれから遠ざかったりすると共に第１の表面の多くの場所で第１の表面に隣接して位置するようになっている。この基板により、上述の利点を提供することができる。
【００２０】
本発明の上記観点及び他の観点は、以下に説明する実施形態から明らかであり、この実施形態を参照してこれら観点を説明する。
【発明を実施するための最良の形態】
【００２１】
まず最初に、織物ワイヤ構造体をどのようにガラス又はプラスチック基板中に埋め込むことができるかについて説明する。次に、この種の基板をプレーナ型電気光学デバイス、例えばＯＬＥＤ（有機発光ダイオード）及びＬＣＤ（液晶ディスプレイ）中にどのように使用すれば良いかについて説明する。
【００２２】
図１ａ及び図１ｂは、基板中への織物ワイヤ構造体の埋め込み状態を示している。図１ａでは、平板状基板ベースパート１が、示されており、このベースパートは、ガラス（例えば、ソーダ石灰ガラス又は硼珪酸ガラス）又はプラスチック（例えば、ポリイミド又はポリカーボネート）で作られるのが良い。ベースパート１は、厚さが例えば０．６ｍｍであるのが良い。フレキシブルプラスチック基板が望ましい場合、その厚さは、例えば０．１ｍｍであるのが良い。
【００２３】
底部パートの頂面上には、細いワイヤ３から成る織物構造体が配置されている。ワイヤは、直径が例えば２５μｍであるのが良く、これらワイヤは、変圧器を巻回構成するために用いられる場合が多い形式のものであるのが良い。
【００２４】
本明細書において、織物構造体という用語は、織成により得られる任意の全体的に平べったいワイヤ組立体を意味している。織物を作る技術分野においては、多くの有用な織成技術が知られている。図１ａに示す単純なたて糸とよこ糸の構造体に加えて、他の二軸構造体、三軸構造体の等の構造体を考慮することができる。織物構造体の使用により、個々のワイヤ３は、曲がりくねった状態で、ベースパートの頂面に組織化された仕方で又は整然とベースパートの頂面に近づいたりこれから遠ざかったりすることになる。
【００２５】
ワイヤの太さは、説明を分かりやすくするために、図１では、２本の隣り合う互いに平行なワイヤ相互間の距離に比して誇張されている。代表的には、２本の隣り合うワイヤ相互間の距離は、例えば、１０ｍｍであるのが良く、ワイヤの厚さは、２５μｍに過ぎない。この結果、織物構造体は、ベースパートを垂直な方向に通る光を大幅に遮ることはないであろう。以下に説明するように、絶縁体が施されたワイヤと絶縁体が施されていないワイヤの両方を用いることができる。
【００２６】
ワイヤが本来的に曲がりくねっている織物構造体の代替手段として、当然のことながら、同様な特性を示す他の考えられる構造体が存在する。例えば、基板ベースパートは、溝を備えていても良く、この場合、ワイヤをベースパート上に溝に垂直に配置するのが良い。次に、ワイヤを溝内に押し込むと共に変形させると、ワイヤは、曲がりくねった状態でベースパートの平面に近づいたりこれから遠ざかったりする構造体をなして配列されることになる。
【００２７】
次に、図１ａの織物構造体を基板内に埋め込むために、基板トップパート５を図１ｂに示すように基板ベースパート１の頂部上に形成する。ベースパートがガラスで作られている場合、ガラスペーストを織物構造体の頂部上に塗布するのが良く、そして部分的に織物構造体中に押し込むのが良い。織物構造体を完全に覆うほどの厚さのペーストの層を被着する。ガラスペーストの代替手段として、ポリマー混合物を被着させても良い。このような混合物は、ガラスの頂部上とプラスチックベースパート上の両方に塗布可能である。
【００２８】
ガラスペーストは、ガラス粒子と溶剤で構成されるのが良く、基板を例えば４００℃まで加熱することにより、溶剤は、除去され、固体層が、ペーストの残存物質によって形成されることになる。この結果、織物構造体は、図１ｂに示すように基板中に完全に埋め込み可能である。この状態での基板の頂面は、粗い場合があり、図１ｂに示すほど平坦ではない。
【００２９】
基板７は、ベースパート１及びトップパート５を有し、ワイヤから成る織物構造体は、トップパート５中に埋め込まれている。図１ｃは、研磨により基板の上方部分をどのように除去して織物構造体中の導体を部分的に露出させ、この結果、図示のようにワイヤ接触面を形成するかを示している。研磨は、種々の技術、例えばシリコーン研磨で達成できる。さらに、基板が適切なレベルまで研磨されるようにし、即ち、埋め込み状態の導体が部分的に露出され、基板頂面に隣接して位置するようにする種々の手法が存在する。光学的方法では、基板表面をカメラで走査して所望の導体パターンが表面のところで目に見えるようになる時期を検出する。また、研磨が導体に達したときに増大し始めるワイヤ抵抗を測定することにより適切なレベルが達成されたことを検出することが可能である。また、研磨器具の研磨ヘッドに生じる摩擦を測定することにより研磨深さを測定することが可能である。埋め込み及び研磨は、更に、適度に再現性のあるプロセスであり、したがって研磨時間を研磨深さを突き止める手段として利用することができる。
【００３０】
研磨が完了すると、完成状態の基板は、図１ｄに示す外観を呈する。上述したように曲がりくねった状態で基板頂面に近づいたりこれから遠ざかったりする導電性ワイヤは、この表面の多くの場所に隣接して位置し、したがって、ワイヤの導電性部分が、この表面のワイヤ接触領域として接近できるようになる。この基板を多くの互いに異なるプレーナ型電気光学デバイスに利用することができ、これについては更に説明する。注目されることとして、研磨以外に、基板の上方部分を除去する他の方法、例えばプラズマエッチングが可能である。
【００３１】
ワイヤは、用途に応じて、基板の外部で、互いに又は別の電圧源に接続できる。また、埋め込み状態のワイヤだけを用いて電極の互いに異なる部分又は互いに異なる電極を相互に接続することが可能である。
【００３２】
幾つかのデバイスでは、織物構造体は、１つだけの連続した電極層をシャントするよう使用されるべきである。このような場合、織物構造体中の全てのワイヤ３を相互に接続するのが良く、したがってこれらワイヤは、同一の電位を有することができる。このため、ワイヤをこれらが交差する場所で互いに絶縁状態にしておく理由は存在しない。この結果、ワイヤは、図２に示すように互いに接触しても良く、図２は、図１ｄのＩ−Ｉ線に沿った断面図である。この構造体は、単純な非絶縁状態のワイヤにより実現できる。
【００３３】
しかしながら、以下に説明するように、他の状況では、ワイヤを互いに絶縁することが必要である。これは、種々の仕方で達成できる。
【００３４】
図３は、各ワイヤ３を絶縁すると共に絶縁材１１がワイヤを露出させるよう基板表面９を研磨した場所を除き、元のままの状態である第１の例を示している。これは、代表的には、基板トップパートが硬化させるのに高温を必要としないポリマーから成る場合であろう。
【００３５】
これとは異なり、基板トップパートがガラスで作られている場合、図４の状況を実現するのが良い。この場合、プラスチックワイヤ絶縁材は、比較的高いプロセス温度により、少なくとも或る程度ガス化される。しかしながら、プロセス中、ポリマー材料は、絶縁ガラス粒子で置き換えられ、その結果、ワイヤは、互いに絶縁された状態のままになり、交差導体３相互間には隙間１３が維持される。プラスチック絶縁材は又、この場合、或る程度まで残存する場合がある。
【００３６】
次に、ＯＬＥＤデバイスの作製について説明するが、この場合、カソードとアノードの両方は、基板中のワイヤに接続される。このようなデバイスは、照明及びディスプレイ目的に利用できるが、太陽電池としても使用できる。
【００３７】
図１ａに示す基板と類似した研磨基板が用いられるが、この場合、ワイヤは、これら交差する場所では相互に絶縁される。織物構造体は、ワイヤが実質的に直角をなして２つの方向１５，１７（たて糸及びよこ糸）に延びる二軸構造体である。この基板上には、従来型スパッタリング法によりＩＴＯ層１９が被着される。エッチングにより、ＩＴＯ層１９は、ワイヤ（たて糸）が表面に隣接して一方の方向１５に延びる場所を被覆するよう作られる一方で、ワイヤ３″（よこ糸）が表面に隣接して他方の方向１７に延びる場所は、図５ａに示すように、小さな周囲領域２１と一緒に開いた状態に残される。
【００３８】
図５ｂは、アノード層を被着させる別の方法を示している。この場合、ＩＴＯ層を多数本のストリップとして被着させ、これらストリップをたて糸及びよこ糸方向と４５°の角度をなして差し向けるのが良く、そしてたて糸方向かよこ糸方向かのいずれかのワイヤが基板表面に隣接した場所の頂部上に配置する。ストリップは、２番目ごとの斜めの列をなすワイヤ接触面を覆う。
【００３９】
図６は、図５ａのデバイスのＩＩ−ＩＩ線矢視断面図である。見て明らかなように、たて糸方向のワイヤ３′は、幾つかの場所でＩＴＯ層１９に電気的に接触している。
【００４０】
次に、有機層２３を、これが図７に示すように、よこ糸ワイヤが表面に隣接した場所の周りの自由領域中に幾分延びた状態でＩＴＯ層の頂部に被着させる。有機層を適切な場所で再現するためにシャドーマスクを用いて有機層を被着させる。
【００４１】
次のステップでは、Ｂａ又はＬｉＦサブレーヤと共にアルミニウムから成るのが良いカソード層２５を蒸着法の利用により表面全体にわたって被着させる。カソード層は、よこ糸ワイヤが基板表面に隣接した領域まで下方に延び、その結果、カソードは、これらワイヤに電気的に接続されるようになる。図７の記載は、説明目的で概略的であることに注意されたい。代表的な実施形態では、ＩＴＯ層の厚さは、１００ｎｍであるのが良く、中間有機層の厚さは、１００〜２００ｎｍであるのが良く、カソードの厚さは、１００ｎｍであるのが良い。上述したように、２本の隣り合うワイヤ相互間の距離は、１０ｍｍであるのが良く、これは、略図を用いて構造体を説明しなければならない理由である。
【００４２】
このデバイスでは、アノード層とカソード層の両方は、シャントされ、その結果、アノード電圧とカソード電圧は、表面全体にわたって実質的に一様になることができる。
【００４３】
これとは異なり、第１の電極層が図５ｂのように被着された基板を用いる場合、有機材料は、ストリップ上に被着される。
【００４４】
他方、互いに異なる電圧をたて糸及びよこ糸の互いに異なるワイヤにそれぞれ印加することにより、ＯＬＥＤデバイスの互いに異なる領域も又制御して互いに異なる輝度レベルを出力することができる。しかしながら、このようにするには通常、アノード層及び（又は）カソード層が、複数個の相互に絶縁されたセグメントの状態に分割される必要がある。
【００４５】
図３に示す基板は、例えば、ワイヤを用いてアクティブマトリックス方式で互いに異なる画素（ピクセル）をアドレス指定するＴＦＴ（薄膜トランジスタ）ＬＣＤデバイスにも利用できる。図９は、これをどのようにすれば実施できるかを概略的に示している。この場合、ＴＦＴ２７のゲートを基板中で第１の方向に延びるワイヤ３１に接続するのが良く、他方、電圧源は、他方の方向に延びるワイヤ３３に接続されている。ＴＦＴドレインは、各々、ＩＴＯ電極２９に接続されており、このＩＴＯ電極は、それ自体周知であるように、ＩＴＯ電極の頂部上に位置する液晶（図示せず）の偏光効果を制御する。電極層は、トランジスタを介して基板中のワイヤに接続される。基板は、当業者の認識するように、改造した従来型ＴＦＴ作製プロセスに使用できる。この関連で基板に関する利点は、行ライン及び列ラインを基板の頂部上に設ける必要はなく、それにより作製は単純化されるということにある。従来型ＴＦＴ  ＬＣＤパネルの場合のように、対応のゲートワイヤを高に設定し、画像情報信号をそれぞれの画素／サブピクセルのソースワイヤのところに印加することにより画素又はサブピクセルのラインが更新される。
【００４６】
無機ＬＥＤディスプレイをＴＦＴ無しでも同様な仕方でアドレス指定することができる。
【００４７】
上述の基板は、例えば、複数の電極層を有する種々の電気光学デバイスに使用することができる。
【００４８】
ＯＬＥＤについては既に上述した。開示した基板構造体は、照明又はディスプレイ目的に使用される形式に利用できる。照明用のＯＬＥＤでは、一様な光放出が達成され、ディスプレイ形式では、ワイヤは、簡単且つ確実なアドレス指定を可能にする。太陽電池及びイメージセンサ用途も又可能である。上述したように、基板構造体は、ＴＦＴ  ＬＣＤデバイスにも有用である。
【００４９】
以上要約すると、本発明は、プレーナ型電気光学デバイス及びその作製方法に関する。電気光学デバイスは、基板の頂面にそのところどころで隣接した導電性ワイヤから成る埋め込み織物構造体を有する。種々の電極層をこれらの場所でワイヤに接続することができる。この場合、ワイヤは、例えば、電極それ自体がたとえ非常に薄くても、電極表面全体にわたり一様な電位をもたらすよう使用できる。この種の基板は、アドレス指定目的にも使用できる。
【００５０】
本発明は、上述の実施形態には限定されない。本発明は、特許請求の範囲に記載された本発明の範囲内で種々の仕方で変形できる。
【図面の簡単な説明】
【００５１】
【図１ａ】基板内への織物ワイヤ構造体の埋め込み状態を示す図である。
【図１ｂ】基板内への織物ワイヤ構造体の埋め込み状態を示す図である。
【図１ｃ】織物構造体がどのように基板の表面のところで部分的に露出状態になっているかを示す図である。
【図１ｂ】織物構造体がどのように基板の表面のところで部分的に露出状態になっているかを示す図である。
【図２】図１ｄのＩ−Ｉ線に沿った断面図である。
【図３】図２に類似した図であって、一変形実施形態を示す図である。
【図４】図２に類似した図であって、別の変形実施形態を示す図である。
【図５ａ】アノード層が被着された基板を示す図である。
【図５ｂ】アノード層を被着する別の手法を示す図である。
【図６】図５ａの基板の断面図である。
【図７】有機層が被着された図６のデバイスを示す図である。
【図８】カソード層が被着された図７のデバイスを示す図である。
【図９】本発明の一実施形態としての基板をＴＦＴ  ＬＣＤデバイスにどのように使用すれば良いかを示す図である。
【図１ａ】
2009534705.tif 000003
【図１ｂ】
2009534705.tif 000004
【図１ｃ】
2009534705.tif 000005
【図１ｄ】
2009534705.tif 000006
【図２】
2009534705.tif 000007
【図３】
2009534705.tif 000008
【図４】
2009534705.tif 000009
【図５ａ】
2009534705.tif 000010
【図５ｂ】
2009534705.tif 000011
【図６】
2009534705.tif 000012
【図７】
2009534705.tif 000013
【図８】
2009534705.tif 000014
【図９】
2009534705.tif 000015
【手続補正書】
【提出日】平成20年10月20日(2008.10.20)
【手続補正１】
【補正対象書類名】特許請求の範囲
【補正対象項目名】全文
【補正方法】変更
【補正の内容】
【特許請求の範囲】
【請求項１】
プレーナ型基板（７）と、前記基板の第１の表面上に設けられた第１の電極層（１９）及び第２の電極層（２５；２９）と、活性層（２３）とを有する電気光学デバイスであって、
前記基板は、前記基板（７）中に埋め込まれていて、織物構造体をなすよう配置された複数本の導電性ワイヤ（３，３′，３″）を有し、前記ワイヤは、曲がりくねった状態で前記基板の前記第１の表面に近づいたりこれから遠ざかったりすると共に前記第１の表面の多くの場所で前記第１の表面に隣接して位置するように構成され、
第１のセットをなすワイヤが、前記織物構造体中で第１の方向に延びた状態で、前記場所のうちの複数の場所で第１の電極層に接続され、第２のセットをなすワイヤが、前記織物構造体中で第２の方向に延びた状態で、前記場所のうちの複数の場所で、前記第１の電極層に設けられた孔を通って第２の電極層に接続され、
前記ワイヤは、前記織物構造体中で互いに交差した状態で、互いに電気的に絶縁されている、
ことを特徴とする電気光学デバイス。
【請求項２】
前記第１の電極セット又は前記第２の電極セットの少なくとも一方の前記ワイヤは、同一の電位の状態のままであるよう互いに接続されている、
請求項１記載の電気光学デバイス。
【請求項３】
前記第１のワイヤセット又は前記第２のワイヤセットの少なくとも一方のワイヤのサブセットが、別々に制御されるよう配置されている、
請求項１記載の電気光学デバイス。
【請求項４】
前記第１の電極層又は前記第２の電極層の少なくとも一方は、相互に絶縁された小部分の状態に分割され、互いに異なる前記小部分は、前記織物構造体中の互いに異なるワイヤに接続されている、
請求項１ないし３のいずれか１項に記載の電気光学デバイス。
【請求項５】
前記基板は、フレキシブルである、
請求項１ないし４のいずれか１項に記載の電気光学デバイス。
【請求項６】
前記電気光学デバイスは、照明デバイスである、
請求項１ないし５のいずれか１項に記載の電気光学デバイス。
【請求項７】
前記電気光学デバイスは、太陽電池である、
請求項１ないし６のいずれか１項に記載の電気光学デバイス。
【請求項８】
前記電気光学デバイスは、ＯＬＥＤディスプレイである、
請求項１ないし７のいずれか１項に記載の電気光学デバイス。
【請求項９】
前記電気光学デバイスは、ＴＦＴディスプレイである、
請求項１ないし８のいずれか１項に記載の電気光学デバイス。
【請求項１０】
前記電気光学デバイスは、イメージセンサである、
請求項１ないし９のいずれか１項に記載の電気光学デバイス。
【請求項１１】
電気光学デバイスを作製する方法であって、
複数本の導電性ワイヤ（３）を平板状ベース基板パート（１）上に織物構造体をなして配置するステップを有し、前記ワイヤは、前記織物構造体中で互いに交差した状態で、互いに電気的に絶縁され、
前記ベース基板パートの頂部上にトップ基板層（５）を形成して前記構造体が前記ベース基板パート及び前記トップ基板パートによって形成された基板（７）内に埋め込まれるようにするステップを有し、
前記トップ基板層の上方部分を除去して前記構造体中の前記導電性ワイヤの部分が、前記基板表面においてところどころの場所で露出されるようにするステップを有し、
第１の電極層（１９）及び第２の電極層（２５；２９）並びに活性層（２３）を前記基板上に被着させて、第１のセットをなすワイヤが、前記織物構造体中で第１の方向に延びた状態で、前記場所のうちの複数の場所で第１の電極層に接続され、第２のセットをなすワイヤが、前記織物構造体中で第２の方向に延びた状態で、前記場所のうちの複数の場所で、前記第１の電極層に設けられた孔を通って第２の電極層に接続されるようにするステップを有する、
ことを特徴とする方法。
【手続補正２】
【補正対象書類名】明細書
【補正対象項目名】０００７
【補正方法】変更
【補正の内容】
【０００７】
この目的は、請求項１１に記載された方法により作製できる請求項１記載のデバイスによって達成される。
【手続補正３】
【補正対象書類名】明細書
【補正対象項目名】００１８
【補正方法】変更
【補正の内容】
【００１８】
本発明は又、電気光学デバイスを作製する方法であって、
複数本の導電性ワイヤを平板状ベース基板パート上に構造体をなして配置するステップと、
ベース基板パートの頂部上にトップ基板層を形成して構造体がベース基板パート及びトップ基板パートによって形成された基板内に埋め込まれるようにするステップと、
トップ基板層の上方部分を除去して構造体中の導電性ワイヤの部分が、基板表面においてところどころの場所で露出されるようにするステップと、
少なくとも１つの電極層及び活性層を基板上に被着させて、少なくとも１つの電極層が複数の場所で複数本のワイヤに接続されるようにするステップとを有することを特徴とする方法に関する。
【手続補正４】
【補正対象書類名】明細書
【補正対象項目名】００１９
【補正方法】削除
【補正の内容】
【国際調査報告】
2009534705.tif 000016
2009534705.tif 000017
2009534705.tif 000018